(57)【要約】      （修正有）【課題】ユーザが説明に用いた表示コンテンツを簡易かつデータ容量を抑制して再生可能な動画再生装置を提供する。【解決手段】動画再生装置（ユーザ端末１０）は、ユーザが説明に用いた表示コンテンツに関する履歴を記憶し、説明後に動画のように再生する。動画再生装置は、表示コンテンツを表示する表示手段と、計時手段と、説明の開始又は表示コンテンツの表示開始からの経過時間に紐付けされた各ページのページ情報と、ユーザが行った、経過時間に紐付けされた評価とを記憶する記憶手段と、記憶手段に記憶されたページ情報及び評価を、表示コンテンツと一体的に再生するコンテンツ再生手段と、を備える。【選択図】図２
2020149529.tif 000002
【特許請求の範囲】
【請求項１】
ユーザが説明に用いた表示コンテンツに関する履歴を記憶し、説明後に動画のように再生可能な動画再生装置であって、
前記表示コンテンツを表示する表示手段と、
計時手段と、
説明の開始又は前記表示コンテンツの表示開始からの経過時間に紐付けされた各ページのページ情報と、前記ユーザが行った、前記経過時間に紐付けされた評価とを記憶する記憶手段と、
前記記憶手段に記憶された前記ページ情報及び前記評価を、前記表示コンテンツと一体的に再生するコンテンツ再生手段と、
を備えていることを特徴とする動画再生装置。
【請求項２】
請求項１に記載の動画再生装置において、
前記各ページに対する前記評価の数又はポイントを集計した集計画面を、前記表示手段に表示可能であることを特徴とする動画再生装置。
【請求項３】
請求項２に記載の動画再生装置において、
前記ユーザが前記表示コンテンツの一部を変更した場合に、変更前後で前記各ページの一致、不一致を判定する判定手段を備え、
前記判定手段により一致と判定された場合に、前記評価を同一ページに対するものとして集計することを特徴とする動画再生装置。
【請求項４】
請求項１〜３の何れか１項に記載の動画再生装置において、
前記ユーザが前記表示コンテンツを説明した、前記経過時間に紐付けされた音声を録音する録音手段を備え、
前記コンテンツ再生手段は、説明後の前記表示コンテンツの再生の際、前記録音手段が録音した前記音声を併せて再生することを特徴とする動画再生装置。
【請求項５】
請求項１〜４の何れか１項に記載の動画再生装置において、
前記表示手段は、タッチパネル方式のディスプレイであり、
前記ユーザが前記ディスプレイで行う所定の操作に基づいて前記評価が行われることを特徴とする動画再生装置。
【請求項６】
請求項１〜５の何れか１項に記載の動画再生装置において、
前記ユーザの音声を認識し、少なくとも前記音声の内容を解析する音声解析手段を備え、
前記音声解析手段は、前記音声の内容に基づいて前記評価を行うことを特徴とする動画再生装置。
【発明の詳細な説明】
【技術分野】
【０００１】
本発明は、ユーザが説明に用いた表示コンテンツを役立つ形で再生することができる動画再生装置に関する。
【背景技術】
【０００２】
現在、会議やプレゼンテーション、営業活動の場において、発表者がPowerPoint（登録商標）のスライドやＰＤＦファイルをディスプレイに表示しつつ、説明を行うことが一般的となっている。プレゼンテーションの場合には、ボイスレコーダやビデオカメラを用いて、その様子を記録することがあるが、この他にも、説明資料を音声や動画と結びつけて時系列に記憶する方法も知られている。
【０００３】
例えば、下記の特許文献１のプレゼンテーションデータ作成システムは、投影機と接続された第１のＰＣと、ビデオカメラと接続された第２のＰＣと、メモリユニットとで構成されている。メモリユニットを第１のＰＣに装着した状態では、第１のＰＣは、メモリユニットの記憶領域を自らの装置内の記憶領域と同様に扱うことができ、データを読み出したり、記録したりすることができる。
【０００４】
これにより、プレゼンテーションデータ作成システムは、メモリユニットから読み出したイベントデータ（スライド画像の開始、終了、変更指示等）、抽出したタイトルデータやページ番号データ等の文書情報、スライド画像ファイル及び録画部によって録画された映像ファイルから、当該映像データに基づく映像と、スライド画像表示用データに基づくスライド画像と、これらのスライド画像のタイトル等の文字情報を同期して表示するプレゼンテーションデータを作成することができる（段落００４９，００７９、図８）。
【先行技術文献】
【特許文献】
【０００５】
【特許文献１】特開２００４−２２７５１４号公報
【発明の概要】
【発明が解決しようとする課題】
【０００６】
しかしながら、特許文献１のシステムは、２台のＰＣに加えて投影機やビデオカメラ等が必要となるため、データ作成にかかるコスト、準備の手間が大きいという問題があった。また、このプレゼンテーションデータは、実際に行われたプレゼンテーションを忠実に再現することに主眼が置かれているため、オリジナルデータに様々なデータが付加されて、データサイズが非常に大きくなっていた。
【０００７】
本発明は、このような事情に鑑みてなされたものであり、ユーザが説明に用いた表示コンテンツを簡易かつデータ容量を抑制して再生可能な動画再生装置を提供することを目的とする。
【課題を解決するための手段】
【０００８】
本発明は、ユーザが説明に用いた表示コンテンツに関する履歴を記憶し、説明後に動画のように再生可能な動画再生装置であって、前記表示コンテンツを表示する表示手段と、計時手段と、説明の開始又は前記表示コンテンツの表示開始からの経過時間に紐付けされた各ページのページ情報と、前記ユーザが行った、前記経過時間に紐付けされた評価とを記憶する記憶手段と、前記記憶手段に記憶された前記ページ情報及び前記評価を、前記表示コンテンツと一体的に再生するコンテンツ再生手段と、を備えていることを特徴とする。
【０００９】
本発明の動画再生装置では、ユーザが表示コンテンツを用いて説明を行ったとき、記憶手段は、説明の開始又は表示コンテンツの表示開始からの経過時間と紐付けされたページ情報（各ページの表示開始時間等）を履歴として記憶する。また、記憶手段は、ユーザが行った評価（このページの説明は、聴講者の反応が良かった等）を前記経過時間の情報を含む形で記憶する。
【００１０】
その後、コンテンツ再生手段は、新たなコンテンツデータを生成することなく、ユーザが説明した表示コンテンツに基づいて、各ページのページ情報や評価を一体にした表示コンテンツを再生する。これにより、ユーザが説明に用いた表示コンテンツを簡易かつデータ容量を抑制して再現することができる。
【００１１】
本発明の動画再生装置において、前記各ページに対する前記評価の数又はポイントを集計した集計画面を、前記表示手段に表示可能であることが好ましい。
【００１２】
この構成によれば、表示手段に集計画面を表示することにより、ユーザが各ページに対する評価の数やポイントを一覧することができる。これにより、ユーザが以前の説明の振り返りを行い、その改善に役立てることができる。
【００１３】
また、本発明の動画再生装置において、ユーザが前記表示コンテンツの一部を変更した場合に、変更前後で前記各ページの一致、不一致を判定する判定手段を備え、前記判定手段により一致と判定された場合に、前記評価を同一ページに対するものとして集計されることが好ましい。
【００１４】
ユーザは、説明後に表示コンテンツの各ページを修正、変更する場合がある。このとき、判定手段は、変更前後で表示コンテンツの各ページの一致、不一致を判定する。変更幅が小さい等、判定手段により一致と判定された場合には、評価が同一ページに対するものして扱われ、集計されるので、各ページに対する評価の情報を蓄積していくことができる。
【００１５】
また、本発明の動画再生装置において、前記ユーザが前記表示コンテンツを説明した、前記経過時間に紐付けされた音声を録音する録音手段を備え、前記コンテンツ再生手段は、説明後の前記表示コンテンツの再生の際、前記録音手段が録音した前記音声を併せて再生することが好ましい。
【００１６】
この構成によれば、録音手段は、ユーザが説明した音声を録音し、コンテンツ再生手段は、説明後の表示コンテンツの再生の際、録音した音声を併せて再生する。これにより、ユーザが行った説明を実際に近い形で再現することができる。
【００１７】
また、本発明の動画再生装置において、前記表示手段は、タッチパネル方式のディスプレイであり、前記ユーザが前記ディスプレイで行う所定の操作に基づいて前記評価が行われることが好ましい。
【００１８】
この構成によれば、表示手段がタッチパネル方式であるので、ユーザが説明の中で行った表示手段のタップ等の操作が、評価として記憶手段に記憶される。これにより、容易に各ページの評価を残すことができる。
【００１９】
また、本発明の動画再生装置において、前記ユーザの音声を認識し、少なくとも前記音声の内容を解析する音声解析手段を備え、前記音声解析手段は、前記音声の内容に基づいて前記評価を行うことが好ましい。
【００２０】
この構成によれば、音声認識手段は、ユーザの音声を認識して、その内容を解析（例えば、音声が肯定的な内容であったか、否定的な内容であったか等）して評価する。これにより、ユーザが特に操作をすることなく、自動的に各ページの評価を残すことができる。
【図面の簡単な説明】
【００２１】
【図１】本発明の動画再生装置（ユーザ端末）の実施の場面を説明する図。
【図２】図１のユーザ端末の内部構成を示すブロック図。
【図３】（ａ）説明のタイムチャート。（ｂ）説明資料の各ページのページ情報（集計画面）を説明する図。
【図４】（ａ）説明資料及び評価の例（第３ページ）。（ｂ）説明資料及び評価の例（第４ページ）。
【図５】（ａ）再現表示の例（第３ページ）。（ｂ）再現表示の例（第４ページ）。
【図６】再現表示の変更例（第３ページ）。
【図７】修正した説明資料の再現表示の例（第３ページ）。
【発明を実施するための形態】
【００２２】
以下では、本発明の動画再生装置の実施形態について、図面を参照しつつ説明する。
【００２３】
まず、図１を参照して、本発明の動画再生装置の実施の場面を説明する。図１は、社員ＰがクライアントＣに対して、営業活動として自社製品又は自社サービスの説明をする場面を示している。ここで、社員Ｐは、タッチパネル方式のディスプレイを有するユーザ端末１０（本発明の「動画再生装置」）を用いて説明を行う。
【００２４】
ユーザ端末１０には、説明資料（本発明の「表示コンテンツ」）の再生履歴を記憶するための専用アプリケーションがインストールされている。この専用アプリケーションは、説明資料（主に、ＰＤＦファイル）をユーザ端末１０の表示部１０ａ（本発明の「表示手段」）で再生するプレイヤー機能を有している。なお、説明資料は、Microsoft社のPowerPoint（登録商標）のファイル等であってもよい。
【００２５】
このとき、社員Ｐの説明やクライアントＣの発言、質問等は、ユーザ端末１０のボイスレコーダで録音される。また、録音データは、説明の開始（説明資料の表示開始）から何分の時点で第何ページの説明が行われたか等のページ情報と共に、ユーザ端末１０に記憶される。
【００２６】
社員Ｐは、ユーザ端末１０で、後日同じ説明資料を再生する際、以前に記憶した録音データやページ情報と連動させることで、当時どのような説明を行っていたか、又はクライントＣとどのようなやり取りをしたかを再現することができる。
【００２７】
また、詳細は後述するが、社員Ｐは、説明時に説明資料のスライドを表示しながら、説明がうまくいったか等を自己評価することができる。例えば、表示部１０ａに対してタップ等の操作やタッチペンによる入力、又はユーザ端末１０とワイヤレス接続された小型端末のボタンを操作して評価することができる。
【００２８】
これにより、社員Ｐは説明資料を再度再生したとき、以前の説明の振り返りを行い、低い評価がなされた部分については、説明資料を修正したり、説明資料にスライドを追加したり、説明のやり方自体を変更したりすることができる。
【００２９】
ここでは、社員Ｐによる営業活動の場面を例示したが、発表者が大勢の人を集めてプレゼンテーションを行う場合も同様である。具体的には、発表者がユーザ端末１０（ノート型ＰＣ）で発表資料のスライドをめくりながら説明を行うと、その時の音声（録音データ）やページ情報が記憶される。また、発表者は、ノート型ＰＣの所定のキー操作により、発表中に自己評価を行うことができる。
【００３０】
次に、図２は、ユーザ端末１０の内部構成を示すブロック図である。ユーザ端末１０には、システムバス１１を介して録音部１２、記憶部１３、計時部１４、制御部１５、入力部１６、出力部１７、データ通信部１８、音声解析部１９及び一致判定部２０が接続され、これらが協働している装置である。
【００３１】
ユーザ端末１０の例としては、スマートフォン、ノート型ＰＣ、タブレット型ＰＣ等が挙げられる。大勢の人に対して行うプレゼンテーションでは、通常ノート型ＰＣが用いられるが、発表者は、上述したように所定のキー操作で自己評価を行えばよいから、必ずしもディスプレイがタッチパネル方式である必要はない。
【００３２】
また、ユーザ端末１０は、説明や質問等の音声を記録できる録音部１２（本発明の「録音手段」）を備えている。具体的には、ユーザ端末１０は、ボイスレコーダ機能を有している必要がある。
【００３３】
記憶部１３（本発明の「記憶手段」）は、例えば、ハードディスク装置、ＳＳＤ、フラッシュメモリ等により構成されており、上述のページ情報や評価の他、オペレーティングシステムやユーザ端末１０用のソフトウェア等の各種プログラムも記憶している。
【００３４】
計時部（本発明の「計時手段」）は、ユーザ端末１０が有する時計であり、リアルタイムを計時する他、タイマ機能を有していることが好ましい。例えば、計時部１４が計測した説明中のページ送りのタイミングは、上述のページ情報に取り込まれる。
【００３５】
制御部１５は、ＣＰＵ１５ａと、ＲＯＭ１５ｂと、ＲＡＭ１５ｃ等により構成され、コンピュータとして機能する。ＣＰＵ１５ａは、ＲＯＭ１５ｂや記憶部１３に記憶された各種プログラムを読み出して実行することにより、各種機能を実現する。また、制御部１５は、ページ情報や評価等を一体にして説明資料を再生する制御を可能にするので、本発明の「コンテンツ再生手段」に相当する。
【００３６】
入力部１６は、例えば、キーボード、マウス、タッチパッド、タッチパネル、タッチペン（スタイラスペン）、音声入力装置（マイク）等の入力装置である。また、出力部１７は、例えば、映像を表示するディスプレイ（表示部１０ａ）や音声を発するスピーカ等の出力装置である。
【００３７】
データ通信部１８は、上述したネットワークＮＷに接続されており、種々のデータをサーバ等の他の機器との間で送受信する。なお、音声解析部１９及び一致判定部２０については、詳細を後述する。
【００３８】
次に、図３に、社員ＰがクライアントＣに対して行った説明の例を示す。具体的には、図１で示したように、社員ＰがクライアントＣに説明資料のスライドを見せながら、自社サービス（電気代の新料金プラン）の説明を行った場合である。
【００３９】
まず、図３（ａ）は、社員Ｐによる説明のタイムチャートを示している。説明資料は合計８ページで構成され、社員Ｐが第１ページ（図中の[Ｐ１]）から順番にページをめくり、説明する。なお、横軸は時間（分）となっている。
【００４０】
説明は午後１５：００に開始し、説明資料の表示開始（又は説明の開始）と同時にタイマがスタートする。ページの切替え時には、表示開始からの経過時間が記録される。例えば、第１ページから第２ページ（図中の[Ｐ２]）への切替えタイミングはタイマのスタートから１分後（図中の（１））であり、第２ページから第３ページ（図中の[Ｐ３]）への切替えタイミングは、タイマのスタートから５分後（図中の（５））である。
【００４１】
社員Ｐの説明やクライアントＣの発言、質問等の音声（録音データ）、及びページの切替え情報（ページ情報）は、表示開始からの経過時間と紐付けられたデータとして、それぞれユーザ端末１０の録音部１２、記憶部１３に記憶される。
【００４２】
また、社員Ｐは、説明資料の表示を一時中断して（閉じて）、言葉のみによって、又は他の資料（雑誌、パンフレット等）をクライアントＣに見せながら説明を行うことがある。このような場合も、音声、会話については録音部１２により録音され、録音データとして記憶される。
【００４３】
ここで、説明中に社員Ｐが行った評価のタイミングは、図中の星印で示している。評価についても、表示開始からの経過時間と紐付けられたデータとして、ユーザ端末１０の記憶部１３に記憶される。なお、上述の音声、ページ情報及び評価は、経過時間の他に、時刻（リアルタイム）とも紐付けされている。
【００４４】
図３（ａ）においては、開始から２４分で最後の第８ページ（図中の「Ｐ８」）の説明が終了する。その後、第３ページ、第７ページ（図中の「Ｐ７」）が表示されるが、社員ＰがクライアントＣから指摘された分かり難い点の再説明や、質問に対して回答を行う場面である。その後、説明が午後１５：３０で終了し、タイマがリセットされる。
【００４５】
図３（ｂ）は、説明資料を構成するページ情報画面（本発明の「集計画面」）を示している。このページ情報画面は、専用アプリケーションの一機能として、ユーザ端末１０の表示部１０ａでも閲覧することができる。
【００４６】
第１ページの表示は１回であるため、「時刻１」の欄に表示時刻である「１５：００−１５：０１」が記録される。また、第３ページの表示は２回あり（図３（ａ）参照）、「時刻１」の欄に１回目の表示時刻である「１５：０５−１５：１０」、「時刻２」の欄に２回目の表示時刻である「１５：２４−１５：２８」が記録される。
【００４７】
さらに、３回表示されたページがあれば、「時刻３」の欄に表示時刻が記録され、ｎ回（ｎ：自然数）表示されたページがあれば、「時刻ｎ」の欄（図示省略）に表示時刻が記録される。
【００４８】
第２〜第８ページでは、社員Ｐによる評価（一次評価）が行われている（図３（ａ）参照）。評価には、良い評価から「＋＋」、「＋」、「−」、「−−」の４段階がある。例えば、第３ページでは、「評価」の欄に「−−」と「＋」の評価がなされ、それぞれの評価時刻が記録される。
【００４９】
また、「ポイント」の欄の数値は、上述の評価を数値化したものであり、ここでは、「＋＋」を３点、「＋」を１点、「−」を−１点、「−−」を−３点として計算している。例えば、第２ページは、評価が「＋」であるため１点、第３ページは評価が「−−」と「＋」とがあるため−２点となる。
【００５０】
このような一覧により、ページ情報と共に、例えば、第３ページは説明がスムーズでなく時間がかかった（評価「−−」）、第６ページはクライアントＣに納得してもらえた（評価「＋＋」）等の情報が記録として残るので、社員Ｐは、説明の改善に役立てることができる。
【００５１】
次に、図４を参照して、説明資料及び説明中に社員Ｐが行う評価の例を説明する。
【００５２】
まず、図４（ａ）は、説明資料の第３ページのスライドを示している。社員Ｐは、タッチペンＴを用いて、又は指で指示しながら第３ページの内容である「３．新料金プランの特徴」について説明する。
【００５３】
また、図示するように、表示部１０ａの右上には、評価ボタンＢが配置されている。社員Ｐは、「３．新料金プランの特徴」を説明して、クライアントＣの反応が悪いと感じた場合、その時点で、タッチペンＴで評価ボタンＢの「−」側をクリックする。この操作により、第３ページに対して、表示開始からの経過時間に紐付けられた評価が記憶される。
【００５４】
社員Ｐは、１つのスライドに対して複数回、評価を行うこともできる。例えば、第３ページの内容のうち、「（１）初月キャッシュバック」について、クライアントＣの理解が不十分、又は説明がスムーズでなかった場合、「−−」の評価を行う。また、「（２）無料メンテナンス」及び「（３）ポイントが貯まる」について、クライアントＣに理解してもらえた場合、「＋」の評価とすることができる。
【００５５】
「−−」の評価をする場合、社員Ｐは、タッチペンＴで評価ボタンＢの「−」側をダブルクリックすればよい。なお、表示部１０ａはタッチパネル方式であるため、社員Ｐが自身の指でクリック動作をしてもよい。また、評価ボタンＢを設けず、指のジェスチャ（タップ、フリック、スワイプ等）で評価する方式としてもよい。
【００５６】
次に、図４（ｂ）は、説明資料の第４ページのスライドを示している。ここでは、社員Ｐは、タッチペンＴを用いて、又は指で指示しながら第４ページの内容である「４．初月キャッシュバック」について説明する。
【００５７】
社員Ｐは、「４．初月キャッシュバック」を説明して、クライアントＣの反応が良く、理解してもらえたと感じた場合、その時点で、タッチペンＴで評価ボタンＢの「＋」側をクリックする。この操作により、表示開始からの経過時間に紐付けられた評価が記憶される。
【００５８】
評価のやり方には、この他にも様々な方法がある。ユーザ端末１０は、社員Ｐの音声を認識し、音声の内容を解析する音声解析部１９を備えている（図２参照）。音声解析部１９は、音声の内容に基づいて評価を行うことができる。例えば、予め記憶部１３にＮＧワードリストを用意しておき、社員Ｐが発した言葉がＮＧワードと整合した場合に、「−」の評価を行う。これにより、社員Ｐが発表中にタップ等の操作をしなくても、評価が自動的に行われる。
【００５９】
ＮＧワードの例としては、「はい。・・・（沈黙）。」、「そうですね。・・・（沈黙）。」、「すぐにお答えできないので・・・。」等が挙げられる。なお、音声解析部１９に文脈判断の能力を持たせれば、より正確な評価を行うことができる。
【００６０】
音声解析部１９は、音声のトーンや発話間隔等に基づいて評価を行うようにしてもよい。例えば、社員Ｐの説明のトーンが低い、早口になる、一方的に話すような場合等に「−」の評価とする。また、社員Ｐのトーンが大きく、明瞭である、クライアントＣとの会話が双方向である場合等に「＋」の評価とする。
【００６１】
次に、図５、図６を参照して、説明資料の再生（再現）について説明する。
【００６２】
ユーザ端末１０では、社員Ｐが以前に説明を行ったときの履歴（音声、ぺージ情報、評価）と連動させて説明資料を再生することができる（再現モード）。まず、図５（ａ）は、ユーザ端末１０の表示部１０ａに表示された第３ページの再現表示を示している。
【００６３】
再現表示は、その上方にスライド表示部４０、下方に評価表示部５０が配置されている。スライド表示部４０は、説明資料のスライドが再生される表示領域である。社員Ｐは、再現モードで説明資料を再生することで、説明資料の何れのスライドで、何れのタイミングで「＋」、「−」等の評価（一次評価）がなされたのかを確認することができる。なお、スライド表示部４０では、説明資料の再生に加え、早送り、巻き戻し、音量調整等が可能となっている。
【００６４】
評価表示部５０には、全体評価欄５５と個別評価欄５６とが含まれる。例えば、社員Ｐは、評価表示部５０の全体評価欄５５をタップすることで、この説明資料に対する全体評価（全体コメント）を入力することができる。
【００６５】
個別評価欄５６は、上述の一次評価に対応して生成される。第３ページでは、評価が２回行われたため、２つの評価欄５６ａ，５６ｂが生成されている。社員Ｐは、個別評価欄５６の領域をタップすることで、選択された評価欄の一次評価について、さらに詳細な二次評価を入力することができる。
【００６６】
例えば、評価欄５６ａに示すように、社員Ｐは、「−−」の評価をしていた時点については、「初月キャッシュバックの説明が伝わらず。」との二次評価を残す。これにより、「−−」と評価した理由についても記憶されるため、説明の改善に役立てることができる。
【００６７】
次に、図５（ｂ）は、ユーザ端末１０の表示部１０ａに表示された第４ページの再現表示を示している。再現表示の画面構成は同じであるが、第４ページは、評価が１回しか行われていないため、評価欄５６ｂは空欄となっている。
【００６８】
第４ページ（再現表示）は、再現モードで説明資料を再生するとき、第３ページ（再現表示）の次に表示される。すなわち、再現モードでは、図３（ａ）で示したタイムチャートに従って、説明資料のページ送りが行われる。なお、第３ページは、後半に２回目が表示されるので、図５（ａ）が再表示される。１回目の表示時に、対応する評価である評価欄５６ａを強調表示し、２回目の表示時に、対応する評価である評価欄５６ｂを強調表示するようにしてもよい。
【００６９】
また、図６に示すように、音声まで含めて一体的に再生してもよい。ここでは、第３ページの再現表示を示すが、第３ページの表示に合わせて、説明時に社員Ｐが説明した「新たな料金プランですが、大きく特徴が３つありまして、・・・」との音声が再生される。
【００７０】
この機能を用いることで、社員Ｐが以前行った説明を実際に近い形で再現することができる。そして、社員Ｐは、評価（「−−」）が行われた時点でどのような説明をしていたか等を認識し、より深く説明の振り返りを行うことができる。
【００７１】
社員Ｐが説明資料の表示を一時中断した期間については、黒画面が表示され、音声は当該期間の会話が再生される。このため、表示を一時中断した事実も分かるようになっている。なお、ユーザ端末１０を横向きで使用する場合、図５（ａ）に示す個別評価欄５６を一度に表示することができないため、スライドの下方に個別評価欄５６’を重ねて表示している。
【００７２】
このように、再現モードでは、あたかも説明資料を用いた再現コンテンツのような表示が行われるが、説明開始からの経過時間に基づいて、評価や音声を一体的に出力しているだけであり、動画データとして記憶はしていない。特に、音声まで含めた再現コンテンツを作成しようとすると、データ量が膨大になってしまうためである。
【００７３】
最後に、図７を参照して、説明資料を修正、変更した場合の一致判定について説明する。
【００７４】
ユーザ端末１０では、説明者が説明資料の各ページに対して自己評価を行うことができ、上述の再現モードにより、説明を振り返ることができる。その結果、低評価のページ（スライド）を差し替えたり、新たにページを追加したりする修正、変更が生じることがある。
【００７５】
図７は、第３ページをもう少し分かり易くなるように、説明文を加えたものである。具体的には、「（１）初月キャッシュバック」に対して、「（初月の請求額の３０％）」との説明を付記している。「（２）無料メンテナンス」、「（３）ポイントが貯まる」についても、それぞれ簡単な説明文を加えて変更している。
【００７６】
この例では、第３ページの内容、全体の中の位置付けまでは変更していないため、変更前（図６参照）と同じ個別評価欄５６’が表示される。すなわち、ユーザ端末１０の一致判定部２０（本発明の「判定手段」）は、変更前後で各ページの一致、不一致を判定する（図２参照）。そして、所定のページに修正、変更が加えられた場合にも、同一と判断された場合には、以前の評価を残しておくことができる。
【００７７】
一致判定部２０は、例えば、ページのタイトル（３．新料金プランの特徴）が同じであれば、変更の前後で一致したページ（スライド）と判定する。また、第３ページと第４ページとの間に新たなスライド（例えば、４．加入者の推移）を挿入したような場合、以前の第４ページは第５ページに繰り下がり、タイトルも「５．初月キャッシュバック」のように変更される。この場合、数字を除いたタイトル「初月キャッシュバック」が同じであれば、変更の前後で一致したページと判定する。
【００７８】
変更の前後で一致したページについては、ページ情報画面（図３（ｂ）参照）の各種情報も変更されない。例えば、第３ページが初期の状態（図４（ａ）参照）から変更され、図７に示す表示に変更された場合にも、時刻の情報（時刻１、時刻２）、評価の情報、ポイントは維持される。すなわち、説明資料を一部変更しても、変更幅が小さい場合は、同一のスライドとして扱い、評価を集計するので、各ページに対する評価の情報を蓄積していくことができる。
【００７９】
上述した実施形態における画面表示や評価の入力態様は一例に過ぎず、適宜変更することができる。ページ情報、評価等が有する時間の情報は、説明資料の表示開始からの経過時間としたが、表示開始からタイマをスタートして、ページをめくった時間を記録する方式でもよいし、ページをめくった時刻（リアルタイム）を記録する方式でもよい。
【００８０】
また、ページ情報、評価等が有する時間は、説明開始からの経過時間でもよい。例えば、説明者（発表者）がノート型ＰＣの所定のキーを操作する等して、開始のタイミングを決定してもよい。
【符号の説明】
【００８１】
１０  ユーザ端末
１０ａ  表示部
１１  システムバス
１２  録音部
１３  記憶部
１４  計時部
１５  制御部
１６  入力部
１７  出力部
１８  データ通信部
１９  音声解析部
２０  一致判定部
４０  スライド表示部
５０  評価表示部
５５  全体評価欄
５６，５６’  個別評価欄
５６ａ，５６ｂ  評価欄
【図１】
2020149529.tif 000003
【図２】
2020149529.tif 000004
【図３】
2020149529.tif 000005
【図４】
2020149529.tif 000006
【図５】
2020149529.tif 000007
【図６】
2020149529.tif 000008
【図７】
2020149529.tif 000009